(57)【要約】  本願明細書は、概してＢｌｕｅｔｏｏｔｈ及びＷｉＭＡＸの共存のためのシステム及び方法の実施例を開示する。他の実施例も記載され請求される。幾つかの実施例では、フレームに関連する時間基準を決定し、次に別の無線フレームを該時間基準に合わせる、システム及び方法を記載する。一旦合わせられると、一方の無線フレームでの送信及び受信は、他方の無線フレームの送信又は受信と時間的に重なり合わないように配置されうる。
2010524346.tif 000002
【特許請求の範囲】
【請求項１】
異なる無線プロトコルのフレーム間で通信をスケジューリングする方法であって：
第１の無線プロトコルの第１の無線フレームに関連する時間基準を決定する段階；
第２の無線プロトコルの第２の無線フレームを該時間基準に合わせる段階；及び
前記第１の無線フレーム内の前記第１の無線プロトコルに従う受信と時間的に重なり合わないように、前記第２の無線フレーム内の前記第２の無線プロトコルに従う送信を配置する段階；
を有する方法。
【請求項２】
前記第１の無線フレーム内の前記第１の無線プロトコルに従う送信と時間的に重なり合わないように、前記第２の無線フレーム内の前記第２の無線プロトコルに従う受信を配置する段階；
を更に有する請求項１記載の方法。
【請求項３】
前記無線プロトコルは、時分割多重（ＴＤＤ）モードで動作する、
ことを特徴とする請求項１記載の方法。
【請求項４】
送信及び受信をタイムスロットに多重する段階、
を更に有する請求項３記載の方法。
【請求項５】
前記第２の無線フレーム及び前記第１の無線フレームは、時間的に重なり合っている、
ことを特徴とする請求項１記載の方法。
【請求項６】
前記第１の無線プロトコル及び前記第２の無線プロトコルは、定期的に繰り返す時間的に重なり合っているパターンを有し、
前記送信は、該時間的に重なり合っているパターンに基づき配置される、
ことを特徴とする請求項５記載の方法。
【請求項７】
前記第２の無線送信フレームは、前記時間基準からのオフセットに合わせられる、
ことを特徴とする請求項１記載の方法。
【請求項８】
前記第１の送信フレームはＷｉＭＡＸスーパーフレームである、
ことを特徴とする請求項１記載の方法。
【請求項９】
前記第２の無線送信フレームは、Ｂｌｕｅｔｏｏｔｈ拡張版同期接続主導型（ｅＳＣＯ）リンク・スロットである、
ことを特徴とする請求項１記載の方法。
【請求項１０】
第１の無線プロトコルに従う無線フレーム内の送信を第２の無線プロトコルに従うフレームの受信と時間的に重なり合わないように配置するスケジューラ；
該スケジューラに従いデータを送信する送信機；
該送信機と通信し、該送信機に外部装置からの受信のためポーリングを送信させ、前記第２の無線プロトコルに従う送信と時間的に重なり合わないように該受信を要求するポーリング・モジュール；及び
前記第１の無線プロトコルに従って前記外部装置からの受信を受信する受信機；
を有する無線機。
【請求項１１】
前記第１の無線プロトコルは、拡散スペクトル・プロトコルであり、
前記第２の無線プロトコルは、マルチキャリア・プロトコルである、
ことを特徴とする請求項１０記載の無線機。
【請求項１２】
前記第２の無線機は、ＷｉＭＡＸ無線機である、
ことを特徴とする請求項１０記載の無線機。
【請求項１３】
前記外部装置はＢｌｕｅｔｏｏｔｈ装置である、
ことを特徴とする請求項１０記載の無線機。
【請求項１４】
実質的な全方向性アンテナ、
を更に有する請求項１０記載の無線機。
【請求項１５】
前記無線フレーム内のスロットは、Ｂｌｕｅｔｏｏｔｈ拡張版同期接続主導型（ｅＳＣＯ）リンク期間である、
ことを特徴とする請求項１４記載の無線機。
【請求項１６】
コンピュータに方法を実行させる命令を有するコンピュータ可読媒体であって：
当該方法は：
第１の無線プロトコルの第１の無線フレームに関連する時間基準を決定する段階；
第２の無線プロトコルの第２の無線フレームを該時間基準に合わせる段階；及び
前記第１の無線フレーム内の前記第１の無線プロトコルに従う受信と時間的に重なり合わないように、前記第２の無線フレーム内の前記第２の無線プロトコルに従う送信を配置する段階；
を有する、
ことを特徴とするコンピュータ可読媒体。
【請求項１７】
前記第１の無線送信フレーム及び前記第２の無線送信フレームの送信及び受信は、実質的に干渉を回避するよう配置される、
ことを特徴とする請求項１６記載のコンピュータ可読媒体。
【請求項１８】
前記第２の送信フレームは、少なくとも１つのマスタ・スロット、少なくとも１つのスレーブ・スロット及び複数の再送スロットを有する、
ことを特徴とする請求項１６記載のコンピュータ可読媒体。
【請求項１９】
前記送信を配置する段階は、前記再送スロットで送信する段階を有する、
ことを特徴とする請求項１８記載のコンピュータ可読媒体。
【請求項２０】
前記第１の無線フレーム内の前記第１の無線プロトコルに従う送信と時間的に重なり合わないように、前記第２の無線フレーム内の前記第２の無線プロトコルに従う受信を配置する段階；
を更に有する、
ことを特徴とする請求項１６記載のコンピュータ可読媒体。
【発明の詳細な説明】
【技術分野】
【０００１】
本発明は、無線通信に関する。幾つかの実施例は、ＯＦＤＭＡ及びＷｉＭＡＸ及びＢｌｕｅｔｏｏｔｈ（登録商標）のようなマルチキャリア・プロトコルを実装するシステムに関する。
【背景技術】
【０００２】
無線技術の可用性及び接続性が増すと共に、複数の無線を伝達する装置は珍しくなくなるだろう。例えば、Ｂｌｕｅｔｏｏｔｈ及びＷｉＭＡＸは、ラップトップ及びハンドヘルド装置のような将来のコンピュータ及び通信プラットフォームで利用可能になるだろう。これら及び他の種類のプラットフォームは、複数の同一場所に配置された無線が配備されうる。このようなプラットフォームは、マルチ無線プラットフォーム（ＭＲＰ）と称される。ＭＲＰは、同一場所に配置されたＢｌｕｅｔｏｏｔｈ及びＷｉＭＡＸ無線を有し、種々の使用及び利便に適応しうる。２つの無線のある標準的な使用場面は、ＷｉＭＡＸリンクとＢｌｕｅｔｏｏｔｈリンクとの間で音声トラフィックを中継するＭＲＰを含む。Ｂｌｕｅｔｏｏｔｈのヘッドセットは、Ｂｌｕｅｔｏｏｔｈリンクを介してＭＲＰに接続する。それと同時に、ＭＲＰは、ＷｉＭＡＸ基地局とのアクティブなＷｉＭＡＸ  ＶｏＩＰセッションを維持する。
【０００３】
Ｂｌｕｅｔｏｏｔｈ及びＷｉＭＡＸは、重複する又は隣接する周波数帯域で動作しうるが、場合によってはそれらが実質的に重なり合う時刻に動作する場合には干渉に悩まされる。干渉は、例えば物理的な接近及び無線電力の漏れに起因して生じうる。ＢＴ及びＷｉＭＡＸコリジョンとも称される以下の干渉が生じうる。
（１）ＭＲＰで、Ｂｌｕｅｔｏｏｔｈの送信がＷｉＭＡＸの受信と時間領域で重なり合う場合、ＷｉＭＡＸの受信が干渉を受ける。
（２）同様に、ＭＲＰで、時間が重なり合う場合、ＷｉＭＡＸの送信もＢｌｕｅｔｏｏｔｈの受信動作に干渉を与えうる。
【発明の概要】
【発明が解決しようとする課題】
【０００４】
このように、一般的に、異なるプロトコルを実装する装置間の干渉の低減された同時通信を可能にするシステム及び方法が必要である。
【図面の簡単な説明】
【０００５】
【図１】種々の実施例によるＢｌｕｅｔｏｏｔｈ拡張版同期接続主導型（ｅＳＣＯ）リンク期間を示す。
【図２】種々の実施例によるＷｉＭＡＸスーパーフレームを示す。
【図３】種々の実施例による方法を示すフロー図を示す。
【図４】種々の実施例によるＢｌｕｅｔｏｏｔｈ動作とＷｉＭＡＸ動作の配置を示す。
【図５】種々の実施例による無線機のブロック図を示す。
【発明を実施するための形態】
【０００６】
以下の説明及び図面は、当業者が本発明を実施可能なように、本発明の主題の特定の実施例を十分に説明する。他の実施例は、構造的、論理的、処理及び他の変更を組み込みうる。例は可能な変更を単に代表するだけである。個々の構成要素及び機能は明示的に要求されない限り任意であり、動作の順序は変更しうる。幾つかの実施例の部分及び特徴は、他の実施例の部分及び特徴に含まれるか又はそれらを代用しうる。請求の範囲に先立ち説明される本発明の主題の実施例は、請求の範囲の全ての可能な等価物を包含する。本発明の主題の実施例は、本願明細書では、簡便のため個々に又は集合的に「本発明」という語で表されるが、実際に１つより多くの発明が開示されている場合には本願の範囲を如何なる単一の発明又は発明概念に制限する目的ではない。
【０００７】
多くの実施例がＢｌｕｅｔｏｏｔｈ及びＷｉＭＡＸプロトコルに関して記載されるが、本発明の範囲は、これらに限定されず、干渉を生じる可能性のある如何なる通信プロトコルに適用されてもよい。
【０００８】
図１は、種々の実施例による無線プロトコルの無線フレームの例として、Ｂｌｕｅｔｏｏｔｈ拡張版同期接続主導型（ｅＳＣＯ）リンク期間１００を示す。ｅＳＣＯリンク期間１００は、複数のスロット１０２に分割されうる無線フレームを有する。スロット１０２内で、マスタからスレーブへの送信１０４又はスレーブからマスタへの受信１０６がＢｌｕｅｔｏｏｔｈマスタ装置でスケジューリングされうる。また、再送ウインドウ１０８は、他の送信１０４又は受信１０６のために複数の追加スロット１０２を有しうる。Ｂｌｕｅｔｏｏｔｈマスタと対にされたＢｌｕｅｔｏｏｔｈスレーブ装置では、前述の送信スロットは受信スロットに対応する。一方で、マスタでの受信スロットはスレーブでの送信スロットに対応する。
【０００９】
Ｂｌｕｅｔｏｏｔｈ  ｅＳＣＯリンク期間１００は、マスタからスレーブへの通信のために予約され送信１０４に占有されたスロット１０２及びスレーブからマスタへの通信のために予約され受信１０６に占有されたスロット１０２を有しうる。追加スロット１０２の数は、再送ウインドウ１０８の範囲内であってよい。
【００１０】
図２は、種々の実施例による無線プロトコルの無線フレームの例として、ＷｉＭＡＸスーパーフレーム２００を示す。ＷｉＭＡＸスーパーフレーム２００は、受信スロット２０６を有するダウンリンク・サブフレーム２０２及び送信スロット２０８を有するアップリンク・サブフレーム２０４を有する。
【００１１】
ＷｉＭＡＸスーパーフレームは、ダウンリンク−アップリンク比（ＤＵＲ）を有してよい。ＤＵＲは、使用される送信スロット２０８の数と比較した使用される受信スロット２０６の相対数により決定される。ダウンリンク・サブフレーム２０２内の受信スロット２０６の数がアップリンク・サブフレーム２０４内の送信スロット２０８の数と等しい場合、ＤＵＲは１：１であってよい。
【００１２】
幾つかの実施例では、ＷｉＭＡＸスーパーフレーム２００の期間は、無線通信信号でＷｉＭＡＸスーパーフレーム２００を送信又は受信する無線機により定められてよい。また、該期間は、規格自体により定められてよく、無線機により実施されてよい。フレーム期間は、種々の実施例によると例えば５ｍｓであってよい。Ｂｌｕｅｔｏｏｔｈスロット１０２（図１）の期間は、別の実施例によると例えば０．６２５ｍｓであってよい。これらの期間の例によると、ＷｉＭＡＸスーパーフレーム２００は、８個のＢｌｕｅｔｏｏｔｈスロット１０２（図１）に等しい期間を有してよい。ＷｉＭＡＸスーパーフレーム２００は、Ｂｌｕｅｔｏｏｔｈスロットの相対期間に基づき多数のスロットに分割されてよい。これらのスロットは、スロットがダウンリンク・サブフレーム２０２又はアップリンク・サブフレーム２０４内に存在するかに依存して、それぞれ受信スロット２０６又は送信スロット２０８とみなされてよい。
【００１３】
ＷｉＭＡＸ及びＢｌｕｅｔｏｏｔｈ無線は同一又は近い周波数で動作するので、干渉が生じうる。干渉は、Ｂｌｕｅｔｏｏｔｈ無線が同一場所に配置されたＷｉＭＡＸ無線が受信されるのと同時に送信されている場合に又はＢｌｕｅｔｏｏｔｈ無線がＷｉＭＡＸ無線が送信されているのと同時に受信されている場合に生じうる。干渉は、ＷｉＭＡＸ無線とＢｌｕｅｔｏｏｔｈ無線との間の送信及び受信の時間的な重なり合いを減少させるか又は除去することにより実質的に回避されうる。
【００１４】
図３は、種々の実施例による方法３００を示すフロー図である。方法３００は、第１の無線からの第１の無線フレームと関連付けられた時間基準を決定することから開始する（ブロック３０２）。第１の無線機は、第１の無線プロトコルを用いてよい。第１の無線機は、例えばＷｉＭＡＸ無線機であってよい。第２の無線プロトコルを用いる第２の無線機は、第２の無線フレームを時間基準に合わせる（ブロック３０４）。第２の無線機は、例えばＢｌｕｅｔｏｏｔｈ無線機であってよい。時間基準に合わせることは、直接の合致からのオフセットを有してよい。
【００１５】
時間的に重なり合う無線フレームは、衝突の形式で干渉を生じうる。送信及び受信は、無線フレーム内の送信と受信との間の衝突を回避するように配置されうる。第２の無線フレーム内の送信は、第１の無線フレーム内の受信中に配置されてよい（ブロック３０６）。また、第２の無線フレーム内の受信は、第１の無線フレーム内の送信中に配置されてよい（ブロック３０８）。
【００１６】
種々の実施例によると、２つの同一場所に配置された無線は、直交周波数分割多重（ＯＦＤＭ）、直交周波数分割多重アクセス（ＯＦＤＭＡ）、周波数ホッピング拡散スペクトラム（ＦＨＳＳ）、他のマルチキャリア・プロトコル、他の拡散スペクトラム・プロトコル及び他の無線プロトコルを含む種々のプロトコルの基礎となる時分割多重（ＴＤＤ）機構を用いて動作する種々の種類の無線であってよい。同一場所に配置されたＢｌｕｅｔｏｏｔｈ無線機及びＷｉＭＡＸ無線機を有するＭＲＰでは、（他の状況が存在しても、例えばＷｉＭＡＸ無線機がメッシュ型ネットワークで動作する場合にも）ＷｉＭＡＸ無線機は一般的に基地局と通信する遠隔装置の不可欠な要素である。Ｂｌｕｅｔｏｏｔｈ無線機は、一般的にスレーブ装置と通信するマスタ無線機である。スレーブ装置は、ハンドセット、イヤホン、無線スピーカ又は如何なる数の他の装置であってもよい。
【００１７】
Ｂｌｕｅｔｏｏｔｈ無線機を扱うときに、Ｂｌｕｅｔｏｏｔｈ仕様に基づき、マスタは予約されたｅＳＣＯマスタ・スロットでスケジューリングされた送信を取り消し、再送ウインドウ内で該送信を再びスケジューリングすることができる。同様に、スレーブからのパケットのマスタによる受信が成功しなかった場合に、マスタは再送ウインドウ内で再送するためにスレーブにポーリング（ＰＯＬＬ）する。
【００１８】
Ｂｌｕｅｔｏｏｔｈ送信（ＴＸ）のＷｉＭＡＸ受信（ＲＸ）との時間的重なり合いは、ＷｉＭＡＸのＴＸのＢｌｕｅｔｏｏｔｈのＲＸとの時間的重なり合いと同様に、Ｂｌｕｅｔｏｏｔｈ  ｅＳＣＯの再スケジューリング／再送信機能を用いることにより回避されうる。より詳細には、スケジューリングされたＢｌｕｅｔｏｏｔｈのマスタのＴＸが同一場所に配置されたＷｉＭＡＸ無線機の受信動作と重なり合うとき、マスタは予約したスロットでの送信を取り消し、ＴＸを安全な（ｓａｆｅ−ｔｏ）ＴＸスロットに再スケジューリングしてよい。他方で、ＢｌｕｅｔｏｏｔｈのマスタのＲＸが同一場所に配置されたＷｉＭＡＸ無線機により干渉を受ける場合には、マスタはスレーブにポーリングし、安全なＲＸスロットを再送してよい。種々の再スケジューリング／再送ポリシーを用いることにより、ＭＲＰでのＢｌｕｅｔｏｏｔｈ及びＷｉＭＡＸの衝突により引き起こされるパケット損失が実質的に除去されうる。また、種々の実施例によると、再スケジューリング／再送ポリシーは、Ｂｌｕｅｔｏｏｔｈ無線に適用されてよく、実際にＷｉＭＡＸ無線機の送信又は受信スケジュールに如何なる変更も必要としない。
【００１９】
図４は、種々の実施例によるＷｉＭＡＸ動作４０２を有するＢｌｕｅｔｏｏｔｈ動作４００の構成を示す。Ｂｌｕｅｔｏｏｔｈ動作４００は、幾つかのｅＳＣＯリンク期間４１２Ａ−Ｄを構成する多数のＢｌｕｅｔｏｏｔｈスロット４１０Ａ−Ｘを有する。ＷｉＭＡＸ動作４０２は、ダウンリンク（ＤＬ）サブフレーム４０６及びアップリンク（ＵＬ）サブフレーム４０８を構成する幾つかのＷｉＭＡＸスーパーフレーム４１４を有する。
【００２０】
Ｂｌｕｅｔｏｏｔｈの送信及び受信を連続して配置するために、最初のＢｌｕｅｔｏｏｔｈスロット４１０Ａの先頭と最も近いＷｉＭＡＸスーパーフレーム４１４の先頭との間のオフセット４０４が定められてよい。オフセットは、ＷｉＭＡＸスーパーフレーム４１４及びＢｌｕｅｔｏｏｔｈスロット４１０Ａ−Ｘ及びｅＳＣＯリンク期間４１２Ａ−Ｄの種々の特徴を考慮することにより定められてよい。Ｔｏｆｆｓｅｔが最初のＢｌｕｅｔｏｏｔｈスロット４１０Ａの開始時間と最初のＷｉＭＡＸスーパーフレーム４１４の開始時間との間のオフセット４０４（多数のＢｌｕｅｔｏｏｔｈスロット４１０Ａ−Ｘ内で測定される）を表す場合、次式の通りである。
【００２１】
【数１】
2010524346.tif 000003
変数ｄ及びｕは、各ＷｉＭＡＸスーパーフレーム４１４内のＷｉＭＡＸ  ＤＬサブフレーム４０６の受信スロット及びＵＬサブフレーム４０８の送信スロットを表すために用いられてよい。従って次式の通りである。
【００２２】
【数２】
2010524346.tif 000004
ＷｉＭＡＸ動作４０２の期間（ＷｉＭＡＸスーパーフレーム４１４の数により測定される）は、ＤＬ及びＵＬ動作に対しそれぞれＰＷｉＭＡＸ＿ＤＬ及びＰＷｉＭＡＸ＿ＵＬと表される。最初のＢｌｕｅｔｏｏｔｈスロット４１０Ａの開始時のゼロ時間基準点に対し、以下の式が得られる。
ＷｉＭＡＸ受信スロット（ＤＬ）：Ｔｏｆｆｓｅｔ＋ｄ＋８ＰＷｉＭＡＸ＿ＤＬｎ（ｎ≧０、ｎは整数）  ＜１＞
ＷｉＭＡＸ送信スロット（ＵＬ）：Ｔｏｆｆｓｅｔ＋ｕ＋８ＰＷｉＭＡＸ＿ＵＬｎ（ｎ≧０、ｎは整数）  ＜２＞
【００２３】
幾つかの実施例では、各ｅＳＣＯリンク期間４１２Ａ−Ｄは、種々の実施例に従い６個のＢｌｕｅｔｏｏｔｈスロット４１０Ａ−Ｘの間、続く。変数ｔは、ＢｌｕｅｔｏｏｔｈマスタＴＸスロットを表すために用いられ、ｔ＝１は予約されたマスタからスレーブへのスロットに対応する。変数ｒは、ＢｌｕｅｔｏｏｔｈマスタＲＸスロットを表すために用いられ、ｒ＝２は予約されたスレーブからマスタへのスロットに対応する。以下の式が得られる。
Ｂｌｕｅｔｏｏｔｈ送信スロット：ｔ＋６ｍ（ｍ≧０、ｍは整数）  ＜３＞
Ｂｌｕｅｔｏｏｔｈ受信スロット：ｒ＋６ｍ（ｍ≧０、ｍは整数）  ＜４＞
【００２４】
Ｂｌｕｅｔｏｏｔｈ  ＴＸ及びＷｉＭＡＸ  ＲＸとの間の時間的重なり合いを決定するために＜１＞及び＜３＞を結合し、Ｂｌｕｅｔｏｏｔｈ  ＲＸ及びＷｉＭＡＸ  ＴＸとの間の時間的重なり合いを決定するために＜２＞及び＜４＞を結合すると、それぞれ次式を得る。
任意のｍ及びｎに対して、ｔ＋６ｍ＝Ｔｏｆｆｓｅｔ＋ｄ＋８ＰＷｉＭＡＸ＿ＤＬｎ  ＜５＞
任意のｍ及びｎに対して、ｒ＋６ｍ＝Ｔｏｆｆｓｅｔ＋ｄ＋８ＰＷｉＭＡＸ＿ＵＬｎ  ＜６＞
【００２５】
各ｅＳＣＯリンク期間４１２Ａ−Ｄは６個のＢｌｕｅｔｏｏｔｈスロット４１０Ａ−Ｘの間続き、ＷｉＭＡＸフレームは、８個のＢｌｕｅｔｏｏｔｈスロット４１０Ａ−Ｘとして表されるので、６と８の最小公倍数は２４である。従って、Ｔｏｆｆｓｅｔが選択されると、重なり合うパターンは、ＰＷｉＭＡＸ＿ＤＬ及びＰＷｉＭＡＸ＿ＵＬの全ての値に対して４個のｅＳＣＯリンク期間４１２Ａ−Ｄ毎に繰り返す。しかしながら、４個の連続するｅＳＣＯリンク期間４１２Ａ−Ｄ内で重なり合うパターンは、期間と期間の間で変化する。
【００２６】
式＜５＞及び＜６＞の解を、Ｔｏｆｆｓｅｔの奇数の整数値に対して以下の表に示す。
【００２７】
【表１】
2010524346.tif 000005
【００２８】
【表２】
2010524346.tif 000006
【００２９】
【表３】
2010524346.tif 000007
（Ｂｌｕｅｔｏｏｔｈ  ＴＸとＷｉＭＡＸ  ＲＸとの間の重なり合いとして、及びＢｌｕｅｔｏｏｔｈ  ＲＸとＷｉＭＡＸ  ＴＸとの間の重なり合いとして定められる）Ｂｌｕｅｔｏｏｔｈ及びＷｉＭＡＸ無線信号間の衝突を除去するために、Ｔｏｆｆｓｅｔは、Ｂｌｕｅｔｏｏｔｈマスタの再スケジューリング／再送ポリシーが作成されうるように奇数の整数値に設定されてよい。
【００３０】
Ｂｌｕｅｔｏｏｔｈマスタのための再スケジューリング／再送ポリシーは、可能性のある送信及び受信構成のための多数の可能なシナリオを含みうる。以下の例は、本発明の実施例の多数の可能な実装のうちの一例である。
【００３１】
先ず、Ｂｌｕｅｔｏｏｔｈ無線及びＷｉＭＡＸ無線のクロックが同期される。一旦同期が取られると、オフセット４０４が選択される。Ｔｏｆｆｓｅｔの値は、一旦選択されると、変更する必要はない。図４では、例えばＴｏｆｆｓｅｔは１である。次に、式＜５＞及び＜６＞を用い、安全なＴＸ及び安全なＲＸスロットが、Ｂｌｕｅｔｏｏｔｈ無線のために定められる。以下の表はポリシーの例を示す。
【００３２】
【表４】
2010524346.tif 000008
スレーブＴＸはマスタＲＸの等価物である。図４は、本発明のある実施例によるポリシーの実施を説明する。ＢｌｕｅｔｏｏｔｈのマスタＴＸ４１６、ＢｌｕｅｔｏｏｔｈのマスタＲＸ４１８及びＢｌｕｅｔｏｏｔｈのＰＯＬＬ４２０は、それぞれ、上述のポリシーに従って対応するＢｌｕｅｔｏｏｔｈスロット４１０Ａ−Ｘ内に示される。
【００３３】
図５は、種々の実施例による無線のブロック図５００を示す。無線機５００は、スケジューラ５０２、送信機５０４、ポーリング・モジュール５０６及び受信機５０８を有する。図５は、外部装置５１０も有する。
【００３４】
スケジューラ５０２は、他の近隣の無線機との干渉を低減又は回避するために、送信機５０４により送信されるべき送信を配置する。スケジューラ５０２は、入力又は信号を受信し、送信及び受信のための可能な配置を決定する。一旦配置を決定すると、スケジューラ５０２は、送信機と通信してよい。次に送信機５０４は相応して送信してよい。受信は、規則的なスケジューリングに基づいて生じてよく又はポーリング・モジュール５０６により開始されてもよい。ポーリング・モジュール５０６は、スケジューラ５０２と通信し、送信及び受信のための可能な配置を決定する。受信が非定期的なタイムスロットで生じない場合には、ポーリング・モジュール５０６は送信機５０４と通信し、非定期的時間に受信を要求するポーリング（ＰＯＬＬ）を送信してよい。
【００３５】
送信機５０４は外部装置５１０と無線通信してよい。外部装置５１０はスレーブ装置であってよい。外部装置５１０は、定期的なスケジュールに基づき又はポーリング（ＰＯＬＬ）を受信したときに、無線機５００へ信号を送信してよい。受信機５０８は、外部装置から無線通信を受信してよい。
【００３６】
無線機５００は、同一場所に配置されたＷｉＭＡＸ無線機との干渉を回避するためにスケジューリングされた送信及び受信を有するＢｌｕｅｔｏｏｔｈ無線機であってよい。無線機５００は、上述の方法又はポリシー（図３及び４を参照）の何れを実施してもよい。
【００３７】
上述のシステム及び方法は、本発明の実施例に従って種々の無線及び送信の実施に適用されうる。１：１、５：３及び他の比を含む種々のＷｉＭＡＸ  ＤＬのＵＬに対する比が用いられてよい。また、ＨＶ３、ＥＶ３（４スロットの再送ウインドウ）、ＥＶ３（２スロットの再送ウインドウ）及びその他を含む種々のＢｌｕｅｔｏｏｔｈプロトコルも用いられてよい。干渉の完全な回避という結果にはならないが、損失の割合は開示した方法を実施しない場合と比べて減少されうる。同一のシステム及び方法は、ＷｉＭＡＸとＢｌｕｅｔｏｏｔｈとの間の異なる衝突動作を解決するためにも用いられてよい。プラットフォームの設計に依存して、衝突動作のセットは異なる。例えば、ＷｉＭＡＸ送信は、電力増幅（ＰＡ）の歪みによってＢｌｕｅｔｏｏｔｈ送信と干渉しうる。衝突動作の別のセットは、（Ｂｌｕｅｔｏｏｔｈのみが犠牲者である場合）ＷｉＭＡＸ  ＴＸのＢｌｕｅｔｏｏｔｈ送信及び受信の両者との干渉を含む。
【００３８】
通信システムは、幾つかの別個の機能要素を有するとして説明されたが、１又は複数の機能要素は結合されてよく、デジタル信号プロセッサ（ＤＳＰ）を含む処理要素のようなソフトウェアで構成された要素及び／又はハードウェア要素の結合により実施されてもよい。例えば、幾つかの要素は、１又は複数のマイクロプロセッサ、ＤＳＰ、特定用途向け集積回路（ＡＳＩＣ）並びに種々のハードウェア及び少なくとも本願明細書に記載した機能を実行する論理回路の組み合わせを有してもよい。
【００３９】
幾つかの実施例では、通信システム及び方法は、無線都市域ネットワーク（ＷＭＡＮ）のためのＩＥＥＥ８０２．１６−２００４及びＩＥＥＥ８０２．１６（ｅ）規格並びにそれらの変形及び拡張を含む無線個人域ネットワーク（ＷＰＡＮ）のためのＩＥＥＥ８０２．１５規格を含む電気電子技術者協会（ＩＥＥＥ）規格のような特定の通信規格に従って実施されてよい。しかしながら、当該通信システム及び方法は他の技術及び規格に従う通信の送信及び／又は受信に適しうるので、本発明の範囲はこれらに限定されるものではない。ＩＥＥＥ８０２．１６規格に関する更なる情報は、「ＩＥＥＥ  Ｓｔａｎｄａｒｄｓ  ｆｏｒ  Ｉｎｆｏｒｍａｔｉｏｎ  Ｔｅｃｈｎｏｌｏｇｙ  −  Ｔｅｌｅｃｏｍｍｕｎｉｃａｔｉｏｎｓ  ａｎｄ  Ｉｎｆｏｒｍａｔｉon  Ｅｘｃｈａｎｇｅ  ｂｅｔｗｅｅｎ  Ｓｙｓｔｅｍｓ」、−Ｍｅｔｒｏｐｏｌｉｔａｎ  Ａｒｅａ  Ｎｅｔｗｏｒｋｓ−Ｓｐｅｃｉｆｉｃ  Ｒｅｑｕｉｒｅｍｅｎｔｓ−Ｐａｒｔ１６：「Ａｉｒ  Ｉｎｔｅｒｆａｃｅ  ｆｏｒ  Ｆｉｘｅｄ  Ｂｒｏａｄｂａｎｄ  Ｗｉｒｅｌｅｓｓ  Ａｃｃｅｓｓ  Ｓｙｓｔｅｍｓ」、２００５年５月、及び関連する修正及び改版を参照のこと。ＩＥＥＥ８０２.１５．１５.１規格に関する更なる情報は、「ＩＥＥＥ  Ｓｔａｎｄａｒｄｓ  ｆｏｒ  Ｉｎｆｏｒｍａｔｉｏｎ  Ｔｅｃｈｎｏｌｏｇｙ  −  Ｔｅｌｅｃｏｍｍｕｎｉｃａｔｉｏｎｓ  ａｎｄ  Ｉｎｆｏｒｍａｔｉon  Ｅｘｃｈａｎｇｅ  ｂｅｔｗｅｅｎ  Ｓｙｓｔｅｍｓ」、−Ｌｏｃａｌ  ａｎｄ  Ｍｅｔｒｏｐｏｌｉｔａｎ  Ａｒｅａ  Ｎｅｔｗｏｒｋｓ−Ｓｐｅｃｉｆｉｃ  Ｒｅｑｕｉｒｅｍｅｎｔｓ−Ｐａｒｔ１５．１：「Ｗｉｒｅｌｅｓｓ  Ｍｅｄｉｕｍ  Ａｃｃｅｓｓ  Ｃｏｎｔｒｏｌ（ＭＡＣ）  ａｎｄ  Ｐｈｙｓｉｃａｌ  Ｌａｙｅｒ（ＰＨＹ）  Ｓｐｅｃｉｆｉｃａｔｉｏｎｓ  ｆｏｒ  Ｗｉｒｅｌｅｓｓ  Ｐｅｒｓｏｎａｌ  Ａｒｅａ  Ｎｅｔｗｏｒｋｓ（ＷＰＡＮ）」、を参照のこと。
【００４０】
幾つかの実施例では、上述の無線機を用いた装置は、パーソナル・デジタル・アシスタント（ＰＤＡ）、無線通信機能を有するラップトップ又はポータブル・コンピュータ、ウェブ・タブレット、無線電話、無線ハンドセット、ページャ、インスタント・メッセージング装置、デジタル・カメラ、アクセス・ポイント、テレビジョン、ビデオ・ゲーム・システム、医療装置（例えば、心拍モニタ、血圧モニタ等）又は無線で情報を受信及び／又は送信しうる他の装置のようなポータブル無線通信装置であってよい。幾つかの実施例では、無線機は、指向性アンテナ、ビーム形成アンテナ、全方向性アンテナ、複数入力複数出力（ＭＩＭＯ）アンテナ・システム、適用型アンテナ・システム（ＡＡＳ）、ダイバーシティ・アンテナ又は他のアンテナ構成を用いて動作してよい。
【００４１】
幾つかの実施例は、ハードウェア、ファームウェア及びソフトウェアのうちの１つ又はそれらの組み合わせで実施されてよい。本発明の実施例は、少なくとも１つのプロセッサにより読み取られ実行され本願明細書に記載された動作を実行しうる、機械読み取り可能な媒体に格納された命令として実施されてもよい。機械読み取り可能な媒体は、機械（例えば、コンピュータ）により読み取り可能な形式の情報を格納又は送信する如何なる機構も包含しうる。例えば、機械読み取り可能な媒体は、読み出し専用メモリ（ＲＯＭ）、ランダム・アクセス・メモリ（ＲＡＭ）、磁気ディスク記憶媒体、光学記憶媒体、フラッシュ・メモリ装置及びその他のものを包含しうる。
【００４２】
要約書は、技術的開示の性質及び要旨を読者に確認させることを要求する３７ＣＦＲ  １．７２（ｂ）に従って作成された。理解されるように、要約書は本願発明の範囲及び意味を制限又は解釈するために用いられるべきではない。添付の特許請求の範囲は、各請求項が別個の実施例として本願明細書に組み込まれる。
【図１】
2010524346.tif 000009
【図２】
2010524346.tif 000010
【図３】
2010524346.tif 000011
【図４】
2010524346.tif 000012
【図５】
2010524346.tif 000013
【国際調査報告】
2010524346.tif 000014
2010524346.tif 000015